(57)【要約】【課題】操作音の設定を一々行なわなくても済む機器を提供すること。【解決手段】機器、例えばデジタルカメラ内部のＣＰＵに、入力装置の中にある操作子群の中の各操作子の操作状態を監視させる。ＣＰＵによって操作状態を検出したら、その操作が誤操作、無効操作からなる異常操作であるかどうかの判定を所定の判定基準に基づいて行なう。ここで異常操作が多いと判定したら、操作音を発生させる旨から操作音を発生させない旨に設定変更を行なう。また異常操作が少ないと判定したら、発生させる旨から発生させない旨に設定変更を行なう。【選択図】  図６
2005026785.tif 000002
【特許請求の範囲】
【請求項１】
操作に応じた処理を行なわさせるための複数の操作子を備えた機器において、
操作子の操作音を発生させるか否かを操作に応じて設定する操作音設定部と、
前記操作音設定部で操作音を発生させる旨設定された場合に、前記複数の操作子のいずれかを操作するごとに操作音を発生させる操作音発生部と、
前記複数の操作子の操作の中から該操作および無効操作を検出する操作検出部とを備え、
前記操作音設定部は、操作音を発生させるか否かを操作に応じて設定するとともに、操作音を発生させない旨設定されている場合において、所定の判定基準により異常操作が多いと判定された場合に、操作音を発生させる旨設定変更するものであることを特徴とする機器。
【請求項２】
前記操作音設定部は、操作音を発生させるか否かを操作に応じて設定するとともに、操作音を発生させる旨設定されている場合において、所定の判定基準により異常操作が少ないと判定された場合に、操作音を発生させない旨設定変更するものであることを特徴とする機器。
【発明の詳細な説明】
【０００１】
【発明の属する技術分野】
本発明は、操作に応じた処理を行なわさせるための複数の操作子を備えた機器に関する。
【０００２】
【従来の技術】
多彩な機能が搭載されるようになった昨今の機器においては、操作性を向上させることが重要なポイントになっている。このような機器の中には、ユーザに操作したという実感を分からせる、あるいは遊び心を感じさせるために、ユーザが何らかの操作を行なった際に操作音を発するものがある。また、このような機器の中には、視覚障害者のために多彩な音色の操作音を発生させるものがある（例えば特許文献１参照）。
【０００３】
しかし、このような操作音は時として耳障りに感じられることがあるため、ユーザの中には操作音が発生しない方が良いと思う人もいる。
【０００４】
このような操作音を発する機器としてデジタルカメラを例に挙げ、操作音の処理を説明する。
【０００５】
図１は従来のデジタルカメラで行なわれている操作音の設定の処理手順を示すフローチャートである。
【０００６】
このフローチャートに示す処理は操作子の操作をデジタルカメラ内部に配備されているＣＰＵが検出したときに始まる。
【０００７】
ステップＳ１０１で、その操作された操作子の操作に応じて操作音を発生させる旨が設定されているかどうかを判定する。フロー中には操作音が発生させる旨をＯＮ設定と記載してある。このステップＳ１０１で操作音がＯＮ設定されていなかったらＮｏ側に進み、このフローの処理を終了する。
【０００８】
ステップＳ１０１で操作音がＯＮ設定されていたらＹｅｓ側に進み、ステップ１０２で操作音を発生させるのに有効な操作であるかどうかを判定する。この有効な操作であるかどうかは、その操作音が設定されている操作子が操作されたかどうかということを意味する。このステップＳ１０２で操作音を発生させるのに有効な操作ではないと判定したら、Ｎｏ側に進み、このフローの処理を終了する。このステップＳ１０２で操作音を発生させるのに有効な操作であると判定したらＹｅｓ側に進み、ステップＳ１０３で操作受付音の鳴動指示を例えば操作音発生部に出しその操作音の操作に応じて操作音を鳴動させ、このフローチャートの処理を終了する。
【０００９】
このように従来のカメラでは、操作子が操作されたら、その操作子の操作に応じて、操作音を発生させる旨設定されているかどうかを判定して操作音を発生させる程度の処理しか行なっていない。当然、操作音を発生させる必要のない、プライオリティの低い操作子の操作については操作音が発生されない。
【００１０】
しかしながら、ユーザによっては、このカメラで普段行なわないような操作を行なうときには、操作音がＯＮ設定されていなくても、操作子の操作音を発生させた方が良いと思う人もある。
【００１１】
こういった操作音を発生させない旨への設定変更や操作音を設定させる旨への設定変更を行なえる機能を従来のカメラや特許文献１の機器に配備する場合、たとえば操作音の設定メニューを表示画面に表示させ、ユーザに設定変更を行なってもらうことが考えられる。しかしこの方法ではユーザが設定メニューによって操作音を発生させる旨、発生させない旨の設定を一々操作によって行なわなければならないため、操作が煩雑になるという問題がある。
【００１２】
【特許文献１】
特開平１０−８２５４７号公報
【００１３】
【発明が解決しようとする課題】
本発明は、上記事情に鑑み、ユーザが操作音を発生させる旨、発生させない旨の設定を一々行なわなくても済む機器を提供することを目的とする。
【００１４】
【課題を解決するための手段】
上記目的を達成する本発明の機器は、操作に応じた処理を行なわさせるための複数の操作子を備えた機器において、
操作子の操作音を発生させるか否かを、操作に応じて設定する操作音設定部と、
上記操作音設定部で操作音を発生させる旨設定された場合に、上記複数の操作子のいずれかを操作するごとに操作音を発生させる操作音発生部と、
上記複数の操作子の操作の中からその操作および無効操作を検出する操作検出部とを備え、
上記操作音設定部は、操作音を発生させるか否かを操作に応じて設定するとともに、操作音を発生させない旨設定されている場合において、所定の判定基準により異常操作が多いと判定された場合に、操作音を発生させる旨設定変更するものであることを特徴とする。
【００１５】
ここで上記所定の判定基準を異常操作の所定回数が一定数に達したということにすれば、その異常操作の回数をたとえばＣＰＵ内のカウンタによりその一定数以上検出した場合に操作変更を行なうであるとか、この機器の電源が投入されてからたとえばＣＰＵ内のタイマを作動させ、そのタイマで計時した一定時間内の異常操作の回数をカウンタにより一定数検出するであるとか、今回の操作を含め過去１０回の操作中の異常操作の回数をカウンタにより一定数検出するであるとかの処理を行なえる。
【００１６】
そうすると、上記操作子に上記操作音を発生させない旨設定されている場合において、その操作子の異常操作が多いときにその操作子の操作音を発生させる旨への設定変更が自動的に行なわれる。その結果、ユーザが一々煩雑な操作をしなくても操作音を発生させることができる。
【００１７】
また、上記操作音設定部は、操作音を発生させるか否かを操作に応じて設定するとともに、操作音を発生させる旨設定されている場合において、所定の判定基準により異常操作が少ないと判定された場合に、操作音を発生させない旨設定変更するものであることが好ましい。
【００１８】
このように上記操作子に上記操作音を発生させる旨設定されている場合において、その操作子の異常操作が少ないときにその操作子の操作音を発生させない旨への設定変更が自動的に行なわれる。その結果、ユーザが一々煩雑な操作をしなくても操作音を発生させない旨への設定変更を行なえる。つまり、同じ操作を何度も行なうような場合、操作回数に応じて操作音が発生しなくなり、ユーザはいままでのように操作音を耳障りと感じることが無くなる。また普段行なわないような操作を行なったときには異常操作に応じて操作音が発生され、ユーザに注意を促すことができる。
【００１９】
【発明の実施の形態】
以下、本発明の実施形態について説明する。
【００２０】
ここでは機器の一例としてデジタルカメラを掲げて以下その構成を説明する。
【００２１】
図２は本発明の実施形態を示すデジタルカメラの正面図、側面部、上面図である。
【００２２】
図２に示すようにカメラボディ１ａの前方には撮影レンズ１０が配備されている。その撮影レンズ１０を前方側としてこのカメラボディ１ａの背面側には表示装置１２０とスイッチ群１３０が配備されている。このスイッチ群１３０の中には、撮影・再生モード切替レバー１３１やポップアップフラッシュ１４をポップアップさせるポップアップスイッチ１３２や８方向キー１３３などがある。またカメラボディ上部にはモード切替スイッチ１１が設けられており、このモード切替スイッチ１１の操作により、セルフタイマー撮影、マクロ撮影、静止画撮影、動画撮影と４つの撮影が楽しめるようになっている。
【００２３】
スイッチ群１３０の中の撮影・再生モード切替レバー１３１が撮影側に切り換えられるとスルー画像が表示装置１２０の表示画面１２１１上に表示される。このスルー画像が表示画面１２１１に表示されているときに、モード切替スイッチ１１の中央にあるレリーズ釦１２が押されると、撮影レンズ１０で捉えた被写体光に基づく画像がこのデジタルカメラ内部の記録メディアに記録される。さらに撮影・再生モード切替レバー１３１が再生側に切り換えられると、記録メディアに記録されている画像データに基づく画像が再生され、表示装置１２０の表示画面１２１１に既撮影画像が表示される。
【００２４】
図３はデジタルカメラ１００の内部に配備された信号処理部の構成ブロック図である。図３を参照してデジタルカメラ１００内にある信号処理部の構成を説明する。
【００２５】
本実施形態のデジタルカメラ１ではすべての動作が統括的にＣＰＵ１１０によって制御されている。図３に示す画像入力コントローラ１１５以降の部分は、ＤＳＰで構成されており、このＤＳＰとＣＰＵ１１０とが協働して処理が行なわれる。
【００２６】
ここではモード切替レバー１３１が撮影側に切り替えられたときのＣＰＵ１１０の処理を説明する。
【００２７】
さらにモード切替レバー１３１が撮影側に切り換えられると、ＣＰＵ１１０は撮影モードであることを認識し、撮影レンズのうち、焦点調節自在なフォーカスレンズ１０１を合焦点に位置させ、所定の撮影画角内の被写体を固体撮像素子たとえばＣＣＤ１１１上に結像させる。ＣＣＤ１１１ではその合焦点に位置させたフォーカスンズにより結像した被写体を表わす画像データを生成する。このＣＣＤ１１１で生成した画像データをタイミングジェネレータ１１２のタイミング信号に応じて所定の間隔ごとに後段に出力させ、スルー画像を表示画面上に表示させる。ここでいうスルー画像とはこのデジタルカメラ１のフォーカスレンズ１０１を含む撮影レンズ１０が向けられた方向の被写体を表わす動画像であり、撮影者は表示画面１２１１上に表示されているスルー画像をファインダ代わりにして撮影を行なう。
【００２８】
このスルー画像を生成するに当たり、焦点調節自在なフォーカスレンズ１０１を、撮影レンズ１０がいろいろな方向に向けられる度に合焦点位置に配置する必要がある。そこでスルー画像のピントずれが起きたときには、ＣＰＵ１１０はフォーカスレンズ１０１を被写体距離の最遠点に対応する位置から最近点に対応する位置までモータドライバ１０１ａにより移動させ、合焦点のサーチを行なっている。この合焦点のサーチを行なうときには、ＣＰＵ１１０から後段のＡＦ検出回路１２６にサーチを行なうという通知を行なって、フォーカスレンズを動かしながらＡＦ検出回路にコントラストのピークの検出を行なわせている。ＡＦサーチが終了したら、ＣＰＵ１１０はＡＦ検出回路１２６で検出された合焦点の位置を示すデータを受け取り、合焦点の位置にフォーカスレンズ１０１をモータドライバにより位置させている。このフォーカスレンズ１０１を移動させながら合焦点のサーチを行なうことをＡＦサーチと呼ぶ。
【００２９】
ＣＰＵ１１０は、撮影レンズ１０が向けられる方向が変わる度にフォーカスレンズ１０１を動かしながらＡＦ検出回路１２６にＡＦサーチを行なわせ、絶えず合焦点位置にフォーカスレンズ１０１を位置させるので、撮影レンズ１０が向けられる方向が変わってもすぐに焦点のあったスルー画像が表示装置１２０上に表示される。
【００３０】
このように撮影側に切り換えられ、撮影レンズを動かして焦点調節が行なわれ、ＣＣＤで画像データを得た後、画像データがどのように処理されるかを説明する。
【００３１】
ＣＰＵ１１０は、ＣＣＤ１１１で得た画像データをタイミングジェネレータ１１２からＣＣＤ１１１にタイミング信号を供給させることにより所定の間隔ごとにＣＤＳＡＭＰ１１３側に出力させている。またＣＰＵ１１０は、ＣＤＳＡＭＰ１１３で画像データの雑音を低減させ、雑音を低減させた画像データをＡ／Ｄ変換部１１４に供給させている。さらにＣＰＵ１１０はこのＡ／Ｄ変換部１１４で画像データをデジタル信号に変換させ、このデジタル信号に変換された画像データをＤＳＰ側の画像入力コントローラ１１５によりバス側に導かせ、このバス側に導かせた画像データを一旦メモリ１１６に記憶させている。
【００３２】
ここからはバス１１０１を介してＤＳＰ側で処理が行なわれる。
【００３３】
このメモリに記憶した画像データをＣＰＵ１１０の指示に基づいて画像信号処理回路１１７が読み出し、表示画面１２１１上に表示可能なＹＣ信号の画像データへ変換している。この変換したＹＣ信号の画像データをＣＰＵ１１０の指示に基づいてＶＲＡＭ１１８に記憶し、このＶＲＡＭ１１８からビデオエンコーダを介して表示装置１２０に供給して表示画面１２１１上に画像データに基づく画像を表示させている。
【００３４】
表示装置１２０ではＶＲＡＭ１１８の２つの記憶領域Ａ、Ｂから所定の間隔ごとに交互にＹＣ信号の供給を受けて、被写体を表わす画像を切り替えて表示画面１２０上にスルー画像を表示させている。
【００３５】
以上が、モード切替レバー１３１が撮影モードに切り替えられたときに画像データを処理してスルー画像を得るときの画像データの流れである。
【００３６】
次にモード切替ダイヤル１１が静止画撮影モードに切り換えられ、レリーズ釦１２が押下され静止画像の撮影が行なわれたときの画像データの流れを説明する。
【００３７】
このレリーズ釦１２が押下されたときには、レリーズ釦１２が押下されたことをＣＰＵ１１０で検出し、ＣＰＵ１１０は、画像入力コントローラに導かせた画像データを一旦メモリ１１６に記憶させる。このメモリ１１６に記憶させた画像データを画像信号処理回路１１７が読み出し、画像信号処理回路１１７で処理を行ない、以降圧縮処理回路１２３、メディアコントローラ１２４を介して記録メディア１２５に静止画像を記録する。
【００３８】
また、撮影モードダイヤル１３１が動画モードに切り換えられ、レリーズ釦が押下されたら、再度レリーズ釦１２が押されるまで記録メディア１２５に動画像データを記録させる。
【００３９】
他に撮影モードダイヤル１１がマクロ撮影に切り換えられると、撮影レンズの焦点距離が調節され、ＴＥＬ端側に撮影レンズが配置され、２０ｃｍから８０ｃｍまでの領域のマクロ撮影を行なえて、また撮影モードダイヤル１１がセルフタイマ撮影に切り換えられると、ＣＰＵ１１０内のタイマが作動してそのセルフタイマで設定された時間後に撮影を行なえる。
【００４０】
このようにＣＰＵ１１０とＤＳＰとを含んだ信号処理部で、スルー画像の処理や静止画撮影や動画撮影に係る記録処理が行なわれる。
【００４１】
このデジタルカメラには、このカメラに操作に応じた動作を行なわさせるため図１に示したモード切替レバー１３１や８方向キー１３３や撮影モードダイヤルなど１１の操作子を多数備えている。
【００４２】
ＣＰＵ１１０はこれらの操作子が操作されたときに操作信号を受け取って図３の各部に所定の処理を行なわせている。このデジタルカメラ１は、ユーザの使い勝手を考えて操作音をＣＰＵによって自動的に発生させたり、自動的に停止させたりしている。
【００４３】
本発明にいう操作音設定部および操作検出部がこのＣＰＵ１１０に当たり、このＣＰＵ１１０によって、操作ごとに操作音の設定変更が行なわれる。
【００４４】
このＣＰＵ１１０には入力操作装置１３０内にある複数の操作子の各操作に応じて各操作信号がバス１１０ａを介して供給されてくるので、操作子ごとの操作状態がＣＰＵ１１０により常に監視されている。そこで、ＣＰＵ１１０内のタイマおよびカウンタを操作音設定部の一部として働かせ、さらにＣＰＵ１１０を操作検出部としても働かせて操作音の設定変更を行なうようにしている。このＣＰＵ１１０は、複数の操作子の中から操作音を発生させるか否かを操作に応じて設定するとともに、操作音を発生させない旨設定されている場合において、所定の判定基準により異常操作がないと判定された場合に、操作音を発生させる旨設定変更するものであり、また操作音を発生させるか否かを操作に応じて設定するとともに、操作音を発生させる旨設定されている場合において、所定の判定基準により異常操作が少ないと判定された場合に、操作音を発生させない旨設定変更するものである。
【００４５】
ここで異常操作がどのようなものであるかを、図４を参照して簡単に説明する。図４は、異常操作がどのようなものであるかを示す一例である。
【００４６】
図４にはモードスイッチをマクロモードに切り換えられたときの表示画面が示されている。図４の左上にある花のマークがマクロ撮影であることを示している。
【００４７】
このときズーム操作が行なわれ、８方向キー１３３のうち、上キーあるいは下キーが操作されても撮影レンズがテレ端に固定されているため、ＣＰＵ１１０ではその操作を受け付けることができず、これらの無効操作あるいは誤操作を異常操作と捉える。
【００４８】
図５は、異常操作がどのようなものであるかを示すもう１つの例である。
【００４９】
図５には撮影・再生レバー１３１を再生モードに切り換えてトリミングズームを行なったときの表示画面が示されている。
【００５０】
トリミングズームの拡大倍率が表示画面１２１１の左上の表示バー１２１２によって示されている。このトリミングズームの拡大倍率が表示バー１２１２によって右いっぱいの部分に示されているときに、それ以上倍率を上げる操作が行なわれてもＣＰＵ１１０ではその操作を受け付けることができず、ＣＰＵ１１０ではこれら誤操作あるいは無効操作を異常操作と捉える。
【００５１】
このように複数の操作子の中から誤操作および無効操作からなる異常操作の有無をＣＰＵ１１０で検出し、ＣＰＵ１１０は操作音を発生させるか否かを操作に応じて設定するとともに、操作音を発生させない旨設定されている場合において、所定の判定基準により異常操作が多いと判定された場合に、操作音を発生させる旨設定変更する。
【００５２】
また、ＣＰＵ１１０は、操作音を発生させるか否かを操作に応じて設定するとともに、操作音を発生させる旨設定されている場合において、所定の判定基準により異常操作が少ないと判定された場合に、操作音を発生させない旨設定変更する。
【００５３】
図６は本実施形態であるデジタルカメラ１での操作音設定の一例を示す図である。
【００５４】
図６にはＣＰＵによって行なわれるユーザ操作の受付処理の手順が示されており、操作音を発生させる側から操作音を発生させない旨の設定に変更する場合の処理手順が示されている。
【００５５】
ステップ６０１では操作音を発生させない旨つまり操作音がＯＦＦ設定になっているかどうかを判定する。ここで操作音ＯＦＦ設定になっていたら、Ｙｅｓ側に進み、ＯＦＦ設定になっていなかったらＮＯ側に進みこのフローの処理を終了する。ステップＳ６０１でＹｅｓ側に進んだときには、ステップＳ６０２で無効操作と誤操作とからなる異常操作であるかどうかの判定が行なわれる。ここで異常操作であると判定されたらＹｅｓ側に進み、ステップＳ６０３で一定時間内に誤操作、無効操作からなる異常操作が一定数に達したかどうかを判定し、一定数に達していなかったらＮｏ側へ進みこのフローの処理を終了する。ここではこのカメラの電源を投入してから多数の操作子の中の操作の異常操作の回数をカウントして、その回数が一定数に達するか、達しないかを本発明にいう所定の判定基準としている。
【００５６】
またステップＳ６０３で一定数に達したと判定したら、Ｙｅｓ側に進んで、ステップＳ６０４で操作音を発生させる旨への設定変更（ＯＦＦからＯＮへ）を行なう。
【００５７】
図７は本実施形態であるデジタルカメラでの操作音設定のもう１つの一例を示す図である。
【００５８】
図７にはＣＰＵによって行なわれるユーザ操作の受付処理の手順が示されており、操作音の設定を発生させる側に設定変更する場合の処理手順が示されている。
【００５９】
ステップＳ７０１で操作音がＯＮ設定になっているかどうかを判定する。
ここで操作音ＯＮ設定になっていたら、Ｙｅｓ側に進み、ＯＮ設定されていなかったらＮＯ側に進みこのフローの処理を終了する。ステップＳ７０１でＹｅｓ側に進んだときには、ステップＳ７０２で有効な操作であるかどうかの判定が行なわれる。ここで有効な操作であると判定されたらＹｅｓ側に進み、ステップＳ７０３で操作受付音の鳴動を操作音発生部に指示し、有効操作ではないと判定したらＮｏ側へ進みこのフローの処理を終了する。
【００６０】
さらにステップＳ７０４で一定時間内に操作が有効操作で占められたかどうかを判定する。ここで一定時間内に有効な操作が少なく、異常操作が多いと判定したら、Ｎｏ側へ進んでこのフローの処理を終了する。ステップＳ７０４で有効な操作のみで占められ、異常操作が少ないと判定したら、Ｙｅｓ側に進んでステップＳ７０５で操作音を発生させない旨への設定変更（ＯｎからＯｆｆへ）を行なう。
【００６１】
このように操作音の設定を異常操作に応じて自在に設定変更することができるデジタルカメラが実現される。
【００６２】
ここでは一例としてデジタルカメラを例に挙げて説明したが、本発明は操作に応じた処理を行なわせるための複数の操作子を備えた機器であれば、全ての機器に適用可能である。
【００６３】
【発明の効果】
本発明の機器によれば、操作音の設定を一々行なわなくても済む機器を提供することができる。
【図面の簡単な説明】
【図１】従来の機器での操作音設定の一例を示す図である。
【図２】本実施形態である機器、例えばデジタルカメラの外観を示す図である。
【図３】図１のデジタルカメラ内部に配備された信号処理部の構成を示す図である。
【図４】異常操作がどのようなものであるかを示す一例である。
【図５】異常操作がどのようなものであるかを示すもう一つの例である。
【図６】本実施形態である機器、例えばデジタルカメラでの操作音設定の一例を示す図である。
【図７】本実施形態である機器、例えばデジタルカメラでの操作音設定の別の例を示す図である。
【符号の説明】
１    デジタルカメラ（機器）
１０    撮影レンズ
１０１    フォーカスレンズ
１０１ａ    モータドライバ
１１    モード切替スイッチ
１２    レリーズ釦
１３０    スイッチ群
１３１    撮影・再生モード切替レバー
１３２    ポップアップスイッチ
１３３    ８方向キー
１４    ポップアップフラッシュ
１１０    ＣＰＵ
１１１    ＣＣＤ
１１２    タイミングジェネレータ
１１３    ＣＤＳＡＭＰ
１１４    Ａ／Ｄ変換部
１１５    画像入力コントローラ
１１６    メモリ
１１７    画像信号処理回路、
１１８    ＶＲＡＭ
１１９    ビデオエンコーダ
１２０    表示装置
１２１１  表示画面
１２３    圧縮処理回路
１２４    メディアコントローラ
１２５    記録メディア
１２６    ＡＦ検出回路
１２７    ＡＥ＆ＡＷＢ検出回路
１２８    絞り（ＩＲＩＳ）
１２８ａ    モータドライバ
【図１】
2005026785.tif 000003
【図２】
2005026785.tif 000004
【図３】
2005026785.tif 000005
【図４】
2005026785.tif 000006
【図５】
2005026785.tif 000007
【図６】
2005026785.tif 000008
【図７】
2005026785.tif 000009